(57)【要約】【目的】初めて利用するユーザーであっても店舗内で見つけ易い情報端末装置及びその制御装置並びに店舗管理システムを提供する。【構成】装填された映像記憶媒体に記憶されている画像のプリント指定操作が可能な情報端末装置であって、該情報端末装置が、ユーザーが携帯する無線ＩＣチップと送受信するゲートを配設したエリア内に設置されると共に該ゲートと無線及び／又は有線で連結されており、ユーザーが前記ゲートを通過し該エリア内に進入した場合に該情報端末装置の状態が変化する構成を有することを特徴とする情報端末装置である。【選択図】        図１
2006021365.tif 000002
【特許請求の範囲】
【請求項１】
装填された映像記憶媒体に記憶されている画像のプリント指定操作が可能な情報端末装置であって、該情報端末装置が、ユーザーが携帯する無線ＩＣチップと送受信するゲートを配設したエリア内に設置されると共に該ゲートと無線及び／又は有線で連結されており、ユーザーが前記ゲートを通過し該エリア内に進入した場合に該情報端末装置の状態が変化する構成を有することを特徴とする情報端末装置。
【請求項２】
前記無線ＩＣチップと映像記憶媒体が一体的な構成を有することを特徴とする請求項１に記載の情報端末装置。
【請求項３】
ユーザーのエリア内への進入に伴い状態が変化した情報端末装置が２以上であった場合に、ユーザーが利用を特定した情報端末装置以外の１以上の情報端末装置については元の状態に復帰する構成を有することを特徴とする請求項１又は２の情報端末装置。
【請求項４】
ユーザーのエリア内への進入時に、既に他のユーザーによって利用されている情報端末装置については状態を変化させない構成を有することを特徴とする請求項１〜３のいずれかに記載の情報端末装置。
【請求項５】
他のユーザーによる利用が、該他のユーザーの映像記憶媒体の画像のプリント指定操作ないしは該プリント指定操作に関わる処理であることを特徴とする請求項４に記載の情報端末装置。
【請求項６】
ユーザーのエリア内への進入時に、管理データ転送等のバッチ処理の如きバックグラウンドでの処理中の情報端末装置については状態を変化させない構成を有することを特徴とする請求項１〜３のいずれかに記載の情報端末装置。
【請求項７】
バックグラウンドでの処理が、映像記憶媒体の画像データに関する処理であることを特徴とする請求項６に記載の情報端末装置。
【請求項８】
情報端末装置の状態の変化が、電源オフ状態から電源オン状態への変化であることを特徴とする請求項１〜７のいずれかに記載の情報端末装置。
【請求項９】
情報端末装置の状態の変化が、電源の省電力状態からの復帰であることを特徴とする請求項１〜７のいずれかに記載の情報端末装置。
【請求項１０】
情報端末装置の状態の変化が、下記（１）〜（３）の少なくとも１つであることを特徴とする請求項１〜９のいずれかに記載の情報端末装置。
（１）情報端末装置の画面の表示の変化
（２）情報端末装置の画面及び／又は装置の一部の発光ないしは照明による変化
（３）音声及び／又は音響を発生することによる変化
【請求項１１】
請求項１〜１０のいずれかに記載の情報端末装置の制御装置であって、ユーザーが携帯する無線ＩＣチップと送受信するゲートと、該ゲートを配設したエリア内に設置されると共に該ゲートと無線及び／又は有線で連結される情報端末装置とを有して成り、ユーザーが前記ゲートを通過しエリア内に進入した場合に前記情報端末装置の状態を変化させる制御を行う構成を有することを特徴とする情報端末装置の制御装置。
【請求項１２】
請求項１〜１０のいずれかに記載の情報端末装置と、該情報端末装置が設置されるエリアに配設されると共にユーザーが携帯する無線ＩＣチップと送受信するゲートとを有して成る店舗管理システムであって、ユーザーが前記ゲートを通過し前記エリア内に進入した場合に、ユーザーが携帯する無線ＩＣチップと送受信して、前記ゲートと無線及び／又は有線で連結されている前記情報端末装置の状態を変化させる構成を有することを特徴とする店舗管理システム。
【発明の詳細な説明】
【技術分野】
【０００１】
本発明は情報端末装置及びその制御装置並びに店舗管理システムに関し、詳しくは映像記憶媒体に記憶された画像のプリントを行う情報端末装置及び該情報端末装置の制御装置並びに情報端末装置を用いた店舗管理システムに関する。
【背景技術】
【０００２】
デジタルカメラの普及に伴い、映像記憶媒体からのプリントが増えている。映像記憶媒体に記憶されている画像データからのプリントは、従来の写真店経由で行われる他、コンビニエンスストアや量販店等に設置されている情報端末装置による、所謂セルフプリント形式による方式が普及し出している（例えば、特許文献１等参照）。
【０００３】
【特許文献１】特開２００３−１４１２４１号
【発明の開示】
【発明が解決しようとする課題】
【０００４】
現在、普及しているセルフプリント方式の情報端末装置の主な設置場所としては、店舗内の奥まった部分や壁際の隅等、様々な商品等が陳列されている店舗内においてあまり目立たない場所であることが多い。
【０００５】
また、情報端末装置自体も利用に際してユーザーがタッチパネルに触れる等の操作を行って初めて状態が変化するようになっており、目立たない設置場所と相俟って存在がひっそりと更に目立たず、初めて利用するユーザーにとっては見つけ難いものとなっている。
【０００６】
本発明は、初めて利用するユーザーであっても店舗内で見つけ易い情報端末装置及びその制御装置並びに店舗管理システムを提供することを課題とする。
【課題を解決するための手段】
【０００７】
上記課題を解決する本発明は下記構成を有する。
【０００８】
１．装填された映像記憶媒体に記憶されている画像のプリント指定操作が可能な情報端末装置であって、該情報端末装置が、ユーザーが携帯する無線ＩＣチップと送受信するゲートを配設したエリア内に設置されると共に該ゲートと無線及び／又は有線で連結されており、ユーザーが前記ゲートを通過し該エリア内に進入した場合に該情報端末装置の状態が変化する構成を有することを特徴とする情報端末装置。
【０００９】
２．前記無線ＩＣチップと映像記憶媒体が一体的な構成を有することを特徴とする上記１に記載の情報端末装置。
【００１０】
３．ユーザーのエリア内への進入に伴い状態が変化した情報端末装置が２以上であった場合に、ユーザーが利用を特定した情報端末装置以外の１以上の情報端末装置については元の状態に復帰する構成を有することを特徴とする上記１又は２の情報端末装置。
【００１１】
４．ユーザーのエリア内への進入時に、既に他のユーザーによって利用されている情報端末装置については状態を変化させない構成を有することを特徴とする上記１〜３のいずれかに記載の情報端末装置。
【００１２】
５．他のユーザーによる利用が、該他のユーザーの映像記憶媒体の画像のプリント指定操作ないしは該プリント指定操作に関わる処理であることを特徴とする上記４に記載の情報端末装置。
【００１３】
６．ユーザーのエリア内への進入時に、管理データ転送等のバッチ処理の如きバックグラウンドでの処理中の情報端末装置については状態を変化させない構成を有することを特徴とする上記１〜３のいずれかに記載の情報端末装置。
【００１４】
７．バックグラウンドでの処理が、映像記憶媒体の画像データに関する処理であることを特徴とする上記６に記載の情報端末装置。
【００１５】
８．情報端末装置の状態の変化が、電源オフ状態から電源オン状態への変化であることを特徴とする上記１〜７のいずれかに記載の情報端末装置。
【００１６】
９．情報端末装置の状態の変化が、電源の省電力状態からの復帰であることを特徴とする上記１〜７のいずれかに記載の情報端末装置。
【００１７】
１０．情報端末装置の状態の変化が、下記（１）〜（３）の少なくとも１つであることを特徴とする上記１〜９のいずれかに記載の情報端末装置。
（１）情報端末装置の画面の表示の変化
（２）情報端末装置の画面及び／又は装置の一部の発光ないしは照明による変化
（３）音声及び／又は音響を発生することによる変化
【００１８】
１１．上記１〜１０のいずれかに記載の情報端末装置の制御装置であって、ユーザーが携帯する無線ＩＣチップと送受信するゲートと、該ゲートを配設したエリア内に設置されると共に該ゲートと無線及び／又は有線で連結される情報端末装置とを有して成り、ユーザーが前記ゲートを通過しエリア内に進入した場合に前記情報端末装置の状態を変化させる制御を行う構成を有することを特徴とする情報端末装置の制御装置。
【００１９】
１２．上記１〜１０のいずれかに記載の情報端末装置と、該情報端末装置が設置されるエリアに配設されると共にユーザーが携帯する無線ＩＣチップと送受信するゲートとを有して成る店舗管理システムであって、ユーザーが前記ゲートを通過し前記エリア内に進入した場合に、ユーザーが携帯する無線ＩＣチップと送受信して、前記ゲートと無線及び／又は有線で連結されている前記情報端末装置の状態を変化させる構成を有することを特徴とする店舗管理システム。
【００２０】
本明細書において、「プリント指定操作」とは、映像記憶媒体内に記憶されている画像（情報）中、プリントすべき画像を情報端末装置に指示し、プリントすべき設定を行う一連の操作をいうものであり、当該操作は、タッチパネル、キーボード、音声等の１又は２以上の組合せのいずれの手段によってもよい。
【００２１】
更に本明細書において、「ユーザーが前記ゲートを通過し該エリア内に進入した場合」とは、ユーザーがゲートを通過してエリア内に進入した場合だけでなく、ユーザーがゲートを通過中でエリア内に進入中である場合や、ユーザーがゲートに接近しエリア内に進入しようとしている場合を含む。
【発明の効果】
【００２２】
請求項１、１１又は１２に示す本発明によれば、ユーザーが情報端末装置が設置されているエリア内に進入した場合に情報端末装置の状態が変化する構成を有するので、初めて利用するユーザーであっても店舗内で情報端末装置を見つけ易い。
【００２３】
請求項２に示す本発明によれば、無線ＩＣチップと映像記憶媒体とが一体となっている場合には、情報端末装置を利用する可能性が高いので、上記効果がより有効となる。
【００２４】
請求項３に示す本発明によれば、ユーザーが利用を特定した情報端末装置以外の情報端末装置を元の状態に復帰する構成を有するので、他のユーザーがエリア内に進入した場合の対応が可能である。
【００２５】
請求項４に示す本発明によれば、既に他のユーザーが利用している情報端末装置の状態は変化させない構成を有するので、他のユーザーの利用を妨げることがない。
【００２６】
請求項５に示す本発明によれば、他のユーザーのプリント指定操作ないしは該プリント指定操作に関わる処理中に情報端末装置の状態を変化させない構成を有するので、他のユーザーがプリント指定操作に時間がかかったとしても、当該他のユーザーの操作を妨げることがない。
【００２７】
請求項６に示す本発明によれば、バックグラウンドでの処理中の情報端末装置の状態を変化させない構成を有するので、見かけ上は処理していないように見えるが実際には処理中の情報端末装置の処理を妨げることがない。
【００２８】
請求項７に示す本発明によれば、バックグラウンドの処理が画像データに関する処理中の情報端末装置の状態を変化させない構成を有するので、見かけ上は処理していないように見えるが実際には処理中の情報端末装置の処理を妨げることがない。
【００２９】
請求項８に示す本発明によれば、ユーザーが情報端末装置が設置されているエリア内に進入した場合に情報端末装置が電源オフ状態から電源オン状態へ変化する構成を有するので、即ち、ユーザーがエリア内に進入していない時は電源オフ状態となっているので、省電力効果が高い。しかも、ユーザーが情報端末装置を利用する時には電源オン状態となっているので利便性と両立させることができる。
【００３０】
請求項９に示す本発明によれば、ユーザーが情報端末装置が設置されているエリア内に進入した場合に情報端末装置が省電力状態から復帰する構成を有するので、即ち、ユーザーがエリア内に進入していない時は省電力状態となっているので、省電力効果が高い。しかも、ユーザーが情報端末装置を利用するときには省電力状態から復帰した状態となっているので利便性と両立させることができる。
【００３１】
請求項１０に示す本発明によれば、（１）情報端末装置の画面の表示の変化、（２）情報端末装置の画面及び／又は装置の一部の発光ないしは照明による変化、（３）音声及び／又は音響を発生することによる変化の少なくとも１つの状態に変化させる構成を有するので、エリア内に進入したユーザーの注意をひくことができ、特に初めて利用するユーザーであっても店舗内で情報端末装置を見つけ易い。
【発明を実施するための最良の形態】
【００３２】
以下、本発明を実施するための最良の形態の一例について図面に基づき説明する。
図１は本発明が適用されるエリア（店舗）の一実施例を示す構成図、図２は本発明の情報端末装置の一実施例を示す概略斜視図、図３は本発明の情報端末装置の制御系の一実施例を示すブロック図、図４は本発明の情報端末装置の電源制御の一例を示すフロー図、図５はユーザーがエリアに進入した場合の情報端末装置の起動制御の一例を示すフロー図である。
【００３３】
本発明の情報端末装置１は、ユーザーが携帯していた映像記憶媒体がプリント指定操作のために装填される情報端末装置であって、図１に示すようにユーザーが携帯する無線ＩＣチップと送受信するゲート７を配設したエリア（本態様では店舗）内に設置されていると共に該ゲート７と無線及び／又は有線（本態様では有線）で連結されており、ユーザーが前記ゲート７を通過しエリア内に進入した場合に該情報端末装置１の状態が変化する構成を有する。
【００３４】
ゲート７は、無線ＩＣチップリーダー部と赤外線センサーが接続され、且つエリア内（店内）ネットワークに接続された制御用コンピューターから構成される。無線ＩＣチップリーダー部と赤外線センサーの検出順序により、ユーザーがエリア内に進入したのか、或いは退出したのかを判別できるようになっており、判別結果を管理用コンピューターに送信する。ここで、無線ＩＣチップリーダー部と赤外線センサーの配置構成によって、ユーザーがエリア内に進入する前の段階のエリアに進入しようとしていることを検知してもよい。
【００３５】
尚、本明細書において「エリア」とは、店舗（コンビニエンスストアや量販店等の文字通りの店舗）を言うものであるが、本発明は店舗そのものに限らず、店舗内の特定のコーナー、複数階を有する店舗の特定階、複合店等のコーナー展開の店舗、駅構内や地下街等のコーナー展開の店舗又は単なる情報端末装置単体設置のコーナー等を含む。尚また、図１では情報端末装置１を４台設置した構成を示しているが、本発明は４台に限らず、１台または２台以上の複数ないし多数であってもよい。
【００３６】
情報端末装置１は主として図２に示す構成を有する。即ち、情報端末装置１は、各種操作内容や画像情報確認等が説明・表示される表示部であると共に各種操作を行うタッチパネル部でもある画面部２と、映像記憶媒体が装填される媒体読取部３と、無線ＩＣチップと送受信して各種情報の読み取り及び／又は書き込みを行うリーダー／ライター部４と、無線ＩＣチップ以外による決済用のベンディング部５と、プリント取出口６を有して構成されている。その他、画像読取手段、画像編集手段、プリント手段、その他の各種制御手段等、この種の情報端末装置に用いられる具体的構成としては公知公用の構成、例えば、前述した特許文献１に記載されている構成等を特別の制限なく適用できる。
【００３７】
情報端末装置１は、図３に示すブロック図のように構成され、ＣＰＵである制御装置によって、画面部２（表示部、タッチパネル）、媒体読取部３、リーダー／ライター部４、ベンディング部５、ハードディスク、プリント手段であるプリンター部、ＲＡＭ、ＲＯＭ、映像記憶媒体から画像を読み取ると共にプリント指定操作により読み取った画像の各種設定処理を行う画像処理部、ゲート７に配設されて無線ＩＣチップを携帯するユーザーが該ゲート７を通る際に該無線ＩＣチップを検知するリーダー部、の各機能が制御されると共にネットワークインターフェースを介して情報端末装置１の外部においてネットワークされる管理用コンピューターによって各機能及び各情報が管理される。尚、プリント手段はネットワークを介して外部のプリンターによってプリントする構成であっても構わない。情報端末装置１に必要な電力は、電源部１０（例えば、店舗内のＡＣコンセント等）から電源制御部１１を介して情報端末装置１の各ブロックに供給される。電源のオン・オフや画面部２の表示部やハードディスクへの通電を絶つ省電力モードへの移行や復帰は、ＣＰＵの指示に従って電源制御部１１が各ブロックへの通電を制御することによって実行される。
【００３８】
本発明に用いられる無線ＩＣチップについて説明する。尚、「無線ＩＣチップ」という呼び方の他、「無線チップ」、「非接触ＩＣチップ」、「ＩＣタグ」、「無線タグ」、「ＲＦＩＤタグ」、「非接触ＩＣカード」等、様々な呼び方がある。本発明はいずれのものであってもよい。
【００３９】
本発明では、片面電極に限らず両面電極の構造を有するものであってもよく、具体的には、オムロン社製Ｖ７２０−Ｄ５２Ｐ０１、Ｖ７２０−Ｄ５２Ｐ０２、Ｖ７２０−Ｄ５２Ｐ０３、Ｖ７２０−Ｄ５２Ｐ０４、ＩＣを搭載した日立社製「ミューチップ」、凸版印刷社製「Ｔ−ジャンクション」、ＹＲＰ・ユビキタスネットワークワーキング研究所と東大阪村研究室及びルネサンステクノロジが共同開発した「ｅトロン／１６−ＡＥ４５Ｘ」等が挙げられる。
【００４０】
例えば、上記「ミューチップ」は０．４ミリ角の大きさのＲＯＭチップで、このサイズに１．４５ＧＨｚの高周波アナログ回路と１２８ビットのＲＯＭを集積しており、厚さは０．０６ミリしかないものである。
【００４１】
このミューチップは、より小さくすることを追求したため機能面では限定され、一般の無線ＩＣチップが書換可能なＲＡＭ方式であるのに対し、読み出し専用のＲＯＭ方式である。本発明では、ＲＯＭ方式、ＲＡＭ方式のいずれも採用することができるが、本発明では、ユーザー情報や決済情報の書き換えが可能なＲＡＭ方式が好ましい。
【００４２】
無線ＩＣチップに記憶される情報としては、この無線ＩＣチップのＩＤ、ユーザー情報（氏名・年齢・住所・連絡先・Ｅｍａｉｌアドレス等）の他に、過去のプリント履歴（サイズや画質、１画像当たりのプリント枚数等のプリントに関わる種々情報）、決済情報（デポジット残高、購入ポイント累積値等）等である。無線ＩＣチップの購入や該無線ＩＣチップ内にデポジットされる金額については、情報端末装置を設置している店舗や管理する企業等に対応したり、或いは情報端末装置に入金機能を付与する構成としても対応可能である。
【００４３】
本発明に用いられる少なくとも記憶又は書換え可能な映像記憶媒体とは、ＳＤカードの如き標準規格化されているメモリーカードであり、ＳＤカードの他、ｍｉｎｉＳＤカード、メモリースティック、メモリースティックＰＲＯ、メモリースティックＤＵＯ、コンパクトフラッシュ、マイクロドライブ、ｘＤピクチャーカード、スマートメディア等に代表されるフラッシュメモリを記憶媒体とするメモリーカード等である。
【００４４】
本発明では、無線ＩＣチップと映像記憶媒体の両方を携帯して情報端末装置１によってプリント指定操作するものであるが、無線ＩＣチップと映像記憶媒体は別体に構成された各々を携帯して用いてもよいが、一体的に構成されたものを用いてもよい。一体的に構成するには、映像記憶媒体に無線ＩＣチップを内蔵したり外装ないしは表面に貼付等の手段によって取り付ける等のいずれの手段によってもよい。尚、図２では、無線ＩＣチップ付き映像記憶媒体８を用いた態様を示す。別体に構成した場合、無線ＩＣチップは携帯に適したカード状のものに搭載されていることが好ましく、カード状のものとしては、例えば、名刺タイプ、クレジットカードタイプ、ネックストラップ等によって首から下げられるＩＤカードタイプ等が挙げられる。
【００４５】
本発明では、映像記憶媒体に記憶されている画像のプリント指定操作を行う構成においては基本的には従来公知公用のセルフプリント形式の構成を有する情報端末装置によって行うが、該情報端末装置１がユーザーが携帯する無線ＩＣチップと送受信するゲート７を配設したエリア内に設置されると共に該ゲート７と無線及び／又は有線で連結されることによってユーザーが前記ゲート７を通過しエリア内に進入した場合に該情報端末装置１の状態が変化する構成が付加された情報端末装置１となっている。
【００４６】
即ち、図４の管理用コンピューターによる電源制御のフロー図に示すように、無線ＩＣチップ付き映像記憶媒体８を携帯するユーザーがゲート７を通ってエリア内へ進入すると、ゲート７がその旨を検出し管理用コンピューターに検出結果を送信する。その結果、管理用コンピューターがＳ１０１でゲート７が無線ＩＣチップを検知したことを確認する（Ｙｅｓ）と、４台設置されている全ての情報端末装置１に起動を指示する（Ｓ１０２）。
【００４７】
以下、図５のフロー図に基づきユーザーがエリアに進入した場合の設置されている各情報端末装置の起動制御の一例を説明する。尚、図４及び図５に示す実施例では、「情報端末装置１の変化」を「省電力状態であった情報端末装置１を起動させること」としているが、本発明はこれに限らず、電源オフ状態から電源オン状態にすることであってもよいし、電源オフから起動に時間がかかる構成（例えば、プリンター部等の暖機を必要とする部分等）は省電力状態からの起動とするが、電源オフからであっても直ぐに起動可能な構成（例えば、記憶媒体読取部等の暖機を不要とする部分等）は完全電源オフから電源オン状態にする等のように構成の性質に応じて異なる状態からの変化の組合せであってもよい。更に、電源の状態や省電力状態の変化だけに限らず、下記（１）〜（３）から選ばれる少なくとも１つのような状態の変化も本発明の範囲内である。
（１）情報端末装置１の画面の表示の変化
（２）情報端末装置１の画面及び／又は装置の一部の発光ないしは照明による変化
（３）音声及び／又は音響を発生することによる変化
【００４８】
（１）の場合は、画面部２にメッセージが表示される等、画面部になんらかの変化が生じることで、エリアに進入したユーザーが情報端末装置１の存在に気付き易い状態とするものである。
【００４９】
（２）の場合は、画面部２や情報端末装置１のいずれかの部分が発光したり、照明が変化する等の変化が生じることで、エリアに進入したユーザーが情報端末装置１の存在に気付き易い状態とするものである。
【００５０】
（３）の場合は、音声（「いらっしゃいませ！」や「映像記憶媒体のプリントはこちらへ！」等のメッセージ等の録音音声や合成音声）や音楽等の音響を発生させる等の変化が生じることで、エリアに進入したユーザーが情報端末装置１の存在に気付き易い状態とするものである。
【００５１】
図４のＳ１０２における管理用コンピューターから起動制御の指示に基づき、設置されている全ての情報端末装置１について、図５のＳ１０３にて起動指示の確認がなされ、起動指示があった場合（Ｙｅｓ）は、Ｓ２０１にて既に他のユーザーに利用されて操作中であるかの確認が成され、利用中（Ｙｅｓ）の場合はそのままの状態を変化させることなく継続した状態（Ｓ２０２）とし、このルーチンを終了させる。従って、４台設置されている情報端末装置１の内、他のユーザーが利用中の情報端末装置１については何も影響を与えることはない。
【００５２】
Ｓ２０１において利用中ではない場合（Ｎｏ）は、Ｓ３０１にて既に他のユーザーの映像記憶媒体の画像のプリント指定操作ないしは該プリント指定操作に関わる処理中、又は管理データ転送等のバッチ処理、或いは画像データに関する処理の如きバックグラウンドでの処理中であるかの確認が成され、処理中（Ｙｅｓ）の場合はそのままの状態を変化させることなく継続した状態（３０２）とし、当該処理が継続され、このルーチンを終了させる。従って、処理中（Ｙｅｓ）である情報端末装置１については、該情報端末装置１の前に他のユーザーが立っておらず空いているように見えても当該情報端末装置１は何らかの処理を行っているために利用することはできないので、画面部２は利用可能な表示がなされていないことになる。
【００５３】
Ｓ３０１にて処理中でない（Ｎｏ）情報端末装置１は次のＳ４０１のステップに進む。即ち、設置されている４台の情報端末装置の全てが前ステップ（Ｓ２０１）で利用中（Ｙｅｓ）であるか本ステップ（Ｓ３０１）で処理中（Ｙｅｓ）である場合は１台も状態は変化しないことになり、ユーザーは既に利用している他のユーザーの利用・処理が終わって情報端末装置１が空くまでは利用することができない。
【００５４】
Ｓ３０１において処理中でない場合（Ｎｏ）は、Ｓ４０１にて現在の状態が省電力状態であるかの確認が成され、省電力状態の場合（Ｙｅｓ）はＳ４０２にて起動され、Ｓ４０３にて情報端末装置１に前述した変化、例えば、画面部２に「いらっしゃいませ！」のようなメッセージが表示される。省電力状態でない場合（Ｎｏ）は、画面部２が初期画面が表示されていたり、プリント例等の一例が表示されていたり、広告が表示されている等の状態から、Ｓ４０３にて情報端末装置１に変化が成され、前述のように画面部２にメッセージが表示される。
【００５５】
Ｓ４０３での変化によって、エリアに進入したユーザーは利用可能である情報端末装置１を見つけ出して操作可能な位置に辿り着くことができる。ユーザーは、利用可能な情報端末装置１の前に立ったことが無線ＩＣチップの検出によって判別され（Ｓ４０４でＹｅｓ）、Ｓ１０４以降のステップ、即ち、プリント指定操作に関する初期画面が表示（Ｓ１０４）、映像記憶媒体の装填（Ｓ１０５）、映像記憶媒体の画像読取（Ｓ１０６）、プリント指定操作（Ｓ１０７）、決済（Ｓ１０８）、プリント処理（Ｓ１０９）に関わる操作等を行うことができるものである。尚、Ｓ１０４以降において、無線ＩＣチップの読取によるユーザー情報の利用や、プリペイド機能を付した映像記憶媒体又は無線ＩＣチップからの自動決済等の処理を本発明は特別の制限なく採用することもできる。
【００５６】
Ｓ４０４で無線ＩＣチップを検出しない場合（Ｎｏ）、一定時間内（Ｓ４０５でＮｏ）は画面部２の表示を継続する（Ｓ４０３）が、一定時間経過後（Ｓ４０５でＹｅｓ）は、ユーザーはその情報端末装置１を選択しなかったとみなして、画面部２の表示を消し、省電力状態に移行する（Ｓ４０６）。尚、ユーザーがエリアに進入したものの、プリント指定操作を行う意思がない場合ないしは失った場合のように利用しない場合は、起動状態となった全ての情報端末装置１は規定時間経過後（Ｓ４０５）、画面部２の表示が消え省電力状態に戻ることになる（Ｓ４０６）。
【００５７】
本発明に係る情報端末装置の制御装置は、上記説明した構成を有する情報端末装置１と、該情報端末装置１が設置されるエリアに配設されると共にユーザーが携帯する無線ＩＣチップと送受信するゲート７とを有し、上記説明したように、ユーザーが前記ゲート７を通過しエリア内に進入した場合に前記情報端末装置１の状態を変化させる制御を行うものである。
【００５８】
また、本発明に係る店舗管理システムは、上記説明した情報端末装置１と、該情報端末装置１が設置されるエリアに配設されると共にユーザーが携帯する無線ＩＣチップと送受信するゲート７とを有し、ユーザーが前記ゲート７を通過し前記エリア内に進入した場合に、ユーザーが携帯する無線ＩＣチップと送受信して、前記ゲート７と無線及び／又は有線で連結されている前記情報端末装置１の状態を変化させるものである。
【図面の簡単な説明】
【００５９】
【図１】本発明が適用されるエリア（店舗）の一実施例を示す構成図
【図２】本発明の情報端末装置の一実施例を示す概略斜視図
【図３】本発明の情報端末装置の制御系の一実施例を示すブロック図
【図４】本発明の情報端末装置の電源制御の一例を示すフロー図
【図５】ユーザーがエリアに進入した場合の情報端末装置の起動制御の一例を示すフロー図
【符号の説明】
【００６０】
１  情報端末装置
２  画面部
３  媒体読取部
４  リーダー／ライター部
５  ベンディング部
６  プリント取出口
７  ゲート
８  無線ＩＣチップ付き映像記憶媒体
【図１】
2006021365.tif 000003
【図２】
2006021365.tif 000004
【図３】
2006021365.tif 000005
【図４】
2006021365.tif 000006
【図５】
2006021365.tif 000007